(57)【特許請求の範囲】
【請求項１】
複数の電池モジュールを備える電池モジュール群と、
前記電池モジュールを制御する制御モジュールと、
前記電池モジュールにおける総電位の総プラス端子および総マイナス端子と、
前記電池モジュールにおける中間電位の中間プラス端子および中間マイナス端子と、を備え、
前記制御モジュールは、
前記総プラス端子、前記総マイナス端子、前記中間プラス端子および前記中間マイナス端子と接続される端子台と、
前記中間プラス端子と前記中間マイナス端子との間を電気的に導通又は遮断するサービスプラグと、
前記総プラス端子および前記総マイナス端子と電気的に接続されたリレーと、を備えた蓄電装置において、
前記端子台は、
前記総プラス端子が接続される総プラス中継端子と、
前記総マイナス端子が接続される総マイナス中継端子と、
前記中間プラス端子が接続される中間プラス中継端子と、
前記中間マイナス端子が接続される中間マイナス中継端子と、
前記総プラス中継端子および前記中間プラス中継端子が並設されたプラス部と、
前記プラス部と並設され、前記総マイナス中継端子および前記中間マイナス中継端子が並設されたマイナス部と、
絶縁材料により形成され、前記総プラス中継端子、前記総マイナス中継端子、前記中間プラス中継端子および前記中間マイナス中継端子を保持する端子台本体と、を備え、
前記端子台本体は、前記プラス部を保持するプラス端子台本体部と、前記マイナス部を保持するマイナス端子台本体部とに、分割され、
前記プラス部と前記マイナス部との間は絶縁されていることを特徴とする蓄電装置。
【請求項２】
前記中間プラス中継端子と前記中間マイナス中継端子が並設されていることを特徴とする請求項１記載の蓄電装置。
【発明の詳細な説明】
【技術分野】
【０００１】
この発明は、複数の電池モジュールを備えた蓄電装置に関する。
【背景技術】
【０００２】
蓄電装置に関する従来の技術としては、例えば、特許文献１に開示された電池パックが知られている。特許文献１に開示された電池パックでは、電池パックのケースには、複数（５つ）のモジュール電池が上下段となるように収容されている。５つのモジュール電池のうち、下段の中央のモジュール電池と、上段の２つのモジュール電池に囲まれる領域には、収容部が形成されている。この収容部には、複数のモジュール電池を制御する複数の電池制御機器を収容した収容ケースが配設されている。
【０００３】
この収容ケースには、モジュール電池を制御する電池制御機器としての電池監視基板、電池ＥＣＵ、サービスプラグおよびシステムメインリレーが収容されている。電池監視基板は、接続用バスバー上に配設されており、電池監視基板において、接続用バスバーと対向する縁部に接続用バスバーが一体化されている。この接続用バスバーは、端子接続部から収容ケース内でこれらの電池制御機器に向けて直線状に延びている。そして、接続用バスバーとサービスプラグおよびシステムメインリレーが接続されることで、モジュール電池とサービスプラグおよびシステムメインリレーとが接続されている。各モジュール電池は、サービスプラグ、システムメインリレーを介して負荷（例えば、モータなど）に直列接続されている。サービスプラグは、直列接続された各モジュール電池の接続を、分断するように設けられ、作業時などに引き抜かれることで、作業の安全性を確保する。
【０００４】
特許文献１に開示された電池パックは、図８に示すように、総電位の総プラス端子Ｔ１および総マイナス端子Ｔ２を備えるほか、サービスプラグ１０１と接続される中間電位の中間プラス端子Ｔ３および中間マイナス端子Ｔ４を備える。総プラス端子Ｔ１および総マイナス端子Ｔ２は接続用バスバー１０３、１０４を介してシステムメインリレー１０２と接続され、中間プラス端子Ｔ３および中間マイナス端子Ｔ４は接続用バスバー１０５、１０６を介してサービスプラグ１０１に接続されている。４つの接続用バスバー１０３〜１０６は並列に配置されている。
【先行技術文献】
【特許文献】
【０００５】
【特許文献１】特開２０１４−２６８７１号公報
【発明の概要】
【発明が解決しようとする課題】
【０００６】
特許文献１に開示された電池パックでは、端子台の組み付け中における総プラス端子と中間マイナス端子との間の短絡、あるいは総マイナス端子と中間プラス端子との間の短絡を確実に回避することが要請されている。因みに、端子台の組み付け中における総プラス端子と中間マイナス端子との間の短絡、あるいは総マイナス端子と中間プラス端子との間の短絡が生じると電池モジュールが損傷する等の問題が生じる。
【０００７】
本発明は上記の問題点に鑑みてなされたもので、本発明の目的は、端子台の組み付け等の際に、総プラス端子と中間マイナス端子との間の短絡、あるいは総マイナス端子と中間プラス端子との間の短絡を回避することができる蓄電装置の提供にある。
【課題を解決するための手段】
【０００８】
上記の課題を解決するために、本発明は、複数の電池モジュールを備える電池モジュール群と、前記電池モジュールを制御する制御モジュールと、前記電池モジュールにおける総電位の総プラス端子および総マイナス端子と、前記電池モジュールにおける中間電位の中間プラス端子および中間マイナス端子と、を備え、前記制御モジュールは、前記総プラス端子、前記総マイナス端子、前記中間プラス端子および前記中間マイナス端子と接続される端子台と、前記中間プラス端子と前記中間マイナス端子との間を電気的に導通又は遮断するサービスプラグと、前記総プラス端子および前記総マイナス端子と電気的に接続されたリレーと、を備えた蓄電装置において、前記端子台は、前記総プラス端子が接続される総プラス中継端子と、前記総マイナス端子が接続される総マイナス中継端子と、前記中間プラス端子が接続される中間プラス中継端子と、前記中間マイナス端子が接続される中間マイナス中継端子と、前記総プラス中継端子および前記中間プラス中継端子が並設されたプラス部と、前記プラス部と並設され、前記総マイナス中継端子および前記中間マイナス中継端子が並設されたマイナス部と、絶縁材料により形成され、前記総プラス中継端子、前記総マイナス中継端子、前記中間プラス中継端子および前記中間マイナス中継端子を保持する端子台本体と、を備え、前記端子台本体は、前記プラス部を保持するプラス端子台本体部と、前記マイナス部を保持するマイナス端子台本体部とに、分割され、前記プラス部と前記マイナス部との間は絶縁されていることを特徴とする。
【０００９】
本発明では、端子台におけるプラス部では、総プラス中継端子と中間プラス中継端子が互いに隣り合い、端子台におけるマイナス部では、総マイナス中継端子と中間マイナス中継端子が互いに隣り合う。さらに、プラス部とマイナス部との間は絶縁されている。このため、端子台の組み付けの際に、総プラス端子と中間マイナス端子との間での短絡や総マイナス端子と中間プラス端子との間での短絡が回避される。端子台の組み付けの際にはサービスプラグが通電遮断の状態であることから、総プラス端子と中間プラス端子との間や総マイナス端子と中間マイナス端子との間では短絡は生じることはない。また、端子台本体は、プラス部を保持するプラス端子台本体部と、マイナス部を保持するマイナス端子台本体部とに、分割されているので、プラス部とマイナス部とが絶縁され、端子台の組み付け等の際に、総プラス端子と中間マイナス端子との短絡、あるいは総マイナス端子と中間プラス端子との短絡を好適に回避することができる。
【００１０】
また、上記の蓄電装置において、前記中間プラス中継端子と前記中間マイナス中継端子が並設されている構成としてもよい。
この場合、中間プラス中継端子と中間マイナス中継端子が端子台の中央に位置し、総プラス中継端子は中間プラス中継端子の外側に位置し、総マイナス中継端子は中間マイナス中継端子の外側に位置する。このため、中間プラス中継端子および中間マイナス中継端子からサービスプラグへ接続される配線の取り回しが、中間プラス中継端子と中間マイナス中継端子が端子台の外側に位置する場合よりも容易となる。
【発明の効果】
【００１２】
本発明によれば、端子の組み付け等の際に、総プラス端子と中間マイナス端子との短絡、あるいは総マイナス端子と中間プラス端子との短絡を回避することができる蓄電装置を提供することができる。
【図面の簡単な説明】
【００１３】
【図１】第１の参考例に係る蓄電装置の概要を示す斜視図である。
【図２】第１の参考例に係る蓄電装置の平面図である。
【図３】図２におけるＡ−Ａ線矢視図である。
【図４】図２におけるＢ−Ｂ線矢視図である。
【図５】制御ユニットの要部を模式的に示す平面図である。
【図６】第１の実施形態に係る蓄電装置における制御ユニットの要部を模式的に示す平面図である。
【図７】第２の参考例に係る蓄電装置における制御ユニットの要部を模式的に示す平面図である。
【図８】従来の電池パックを模式的に示す図である。
【発明を実施するための形態】
【００１４】
（第１の参考例）
以下、第１の参考例に係る蓄電装置について図面を参照して説明する。図１、図２に示すように、本参考例の蓄電装置１０は、電池ユニット１１を収容するケース１２を備えている。ケース１２は、矩形の底板１３と、底板１３の一対の短辺からそれぞれ立設された第１側壁１４および第２側壁１５と、底板１３の一対の長辺からそれぞれ立設された第３側壁１６および第４側壁１７と、底板１３と対向する天板１８と、を備えている。従って、ケース１２は立方体である。
【００１５】
図３に示すように、電池ユニット１１は、ベース板１９と、複数の支持部材２０、２１と、複数の電池モジュール２２と、制御モジュール２３と、を備えている。ベース板１９は、ケース１２内の底板１３上に、固定可能な矩形の板部材であり、電池ユニット１１の最下部に位置する。ベース板１９上には、複数の支持部材２０が固定されている。支持部材２０上に電池モジュール２２が載置されている。支持部材２０は電池モジュール２２を支持する。本参考例では、４本の支持部材２０が底板１３の短辺と平行であって一定の間隔を保ち配置され、３個の電池モジュール２２が支持部材２０に支持されている。支持部材２０がベース板１９に設けられていることにより電池モジュール２２とベース板１９との間には、３つの第１隙間２４が形成されている。第１隙間２４は、ベース板１９、支持部材２０および電池モジュール２２により区画され、冷却用空気の流通を許容する隙間である。
【００１６】
３個の電池モジュール２２は、底板１３の長辺の方向に配列されている。第１側壁１４および第２側壁１５と隣り合う電池モジュール２２の上面には、複数の支持部材２１が間隔を空けて配置されている。支持部材２１は支持部材２０と平行である。支持部材２１上には電池モジュール２２が載置されている。支持部材２１は電池モジュール２２を支持する。従って、第１側壁１４に隣り合う電池モジュール２２が上下に配設されているほか、第２側壁１５に隣り合う電池モジュール２２が上下に配設されている。下段の電池モジュール２２と支持部材２１に支持されている上段の電池モジュール２２の間には、第２隙間２５が形成されている。第２隙間２５は、下段の電池モジュール２２、支持部材２１および上段の電池モジュール２２により区画され、冷却用空気の流通を許容する隙間である。
【００１７】
下段中央の電池モジュール２２の上方であって、上段の一対の電池モジュール２２の間には、制御モジュール２３が配置される。下段の中央に位置する電池モジュール２２の上面には、支持部材２１が間隔を空けて配置されている。支持部材２１上には、制御モジュール２３が載置されている。下段中央の電池モジュール２２上に設けられた支持部材２１は、制御モジュール２３を支持する。下段中央の電池モジュール２２と支持部材２１に支持されている上段の制御モジュール２３の間には、第３隙間２６が形成されている。第３隙間２６は、下段中央の電池モジュール２２、支持部材２１および上段の制御モジュール２３により区画され、冷却用空気の流通を許容する隙間である。
【００１８】
電池モジュール２２は略立方体であり、正極端子２８および負極端子２９を有する正面３０と、正面３０の反対側の後面３１と、上面３２と、底面３３と、一対の側面３４、３５と、を有する。電池モジュール２２の内部には、複数の電池セル（図示せず）が直列接続されている。複数の電池モジュール２２は電池モジュール群を構成し、本参考例では、５個の電池モジュール２２により電池モジュール群が構成されている。図２、図４に示すように、第１側壁１４の内面と、この内面に対向する電池モジュール２２の正面３０との間には、電池モジュール２２の温度調節を行う冷却用空気が供給される通気空間３６が形成されている。通気空間３６は、第３側壁１６から第４側壁１７に至るまで延びている。正極端子２８および負極端子２９は通気空間３６に露出している。つまり、図２、図４に示すように、各電池モジュール２２は、端子面としての正面３０が第３側壁１６と対向するように、同一方向に向けてケース１２内に並設されている。
【００１９】
各電池モジュール２２の正極端子２８および負極端子２９は、各電池モジュール２２が直列接続されるように複数のバスバー３７、３８、３９および複数の配線４０、４１、４２、４３よって接続されている。電池ユニット１１は、電池ユニット１１の総電位の端子となる総プラス端子Ｔ１および総マイナス端子Ｔ２を有するとともに、電池ユニット１１の中間電位の端子となる中間プラス端子Ｔ３および中間マイナス端子Ｔ４を有する。本参考例では、図５に示すように、総プラス端子Ｔ１は、第２側壁１５と対向する上段の電池モジュール２２の正極端子２８である。総マイナス端子Ｔ２は、第１側壁１４と対向する上段の電池モジュール２２の負極端子２９である。中間プラス端子Ｔ３は、下段中央の電池モジュール２２の正極端子２８である。中間マイナス端子Ｔ４は、第２側壁１５と対向する下段の電池モジュール２２の負極端子２９である。
【００２０】
図３に示すように、ケース１２の外部であり、第１側壁１４の外面には、通気空間３６に冷却用空気を供給する送風ファン４４が固定されている。 図２、図４に示すように、第４側壁１７の内面と、第４側壁１７の内面に対向する電池モジュール２２の後面３１との間には、通気空間４５が形成されている。通気空間４５は、電池モジュール２２の温度調節に使用した後の冷却用空気を排出する空間である。図３、図４に示すように、天板１８と、天板１８と対向する電池モジュール２２の上面３２および制御モジュール２３の上面との間には、冷却用空気が通過可能な第４隙間４６が形成されている。第４隙間４６は、第３側壁１６から第４側壁１７に至るまで延びている。第１隙間２４、第２隙間２５、第３隙間２６、第４隙間４６は、通気空間３６、４５と連通している。電池モジュール２２は、送風ファン４４から通気空間３６に供給される冷却用空気が第１隙間２４、第２隙間２５、第３隙間２６、第４隙間４６を流通することで温度調節される。
【００２１】
図３に示すように、下段の３個の電池モジュール２２のうち、中央の電池モジュール２２と、上段の２個の電池モジュール２２に囲まれる領域には、制御モジュール２３が設けられている。制御モジュール２３は、上段の電池モジュール２２と並設されている。制御モジュール２３は、端子台５０と、サービスプラグ５１と、リレーとしてのシステムメインリレー５２と、電池監視基板５３と、電池ＥＣＵ５４を備えている。端子台５０、サービスプラグ５１、電池監視基板５３および電池ＥＣＵ５４は、キャリッジ５５に搭載されて、一体化されている。
【００２２】
端子台５０は、キャリッジ５５の上部おいて第３側壁１６と対向する位置に設けられている。端子台５０は、絶縁材料により形成された端子台本体５６と、端子台本体５６に設けられた４本のバスバー５７、５８、５９、６０を備える。端子台本体５６は、４本のバスバー５７、５８、５９、６０を保持する。４本のバスバー５７、５８、５９、６０は並設されており、互いに絶縁されている。端子台５０は、総プラス中継端子としてのバスバー５７および中間プラス中継端子としてのバスバー５９が並設されたプラス部６１を備える。また、端子台５０は、プラス部６１と並設され、総マイナス中継端子としてのバスバー５８および中間マイナス中継端子としてのバスバー６０が並設されたマイナス部６２を備える。プラス部６１とマイナス部６２との間には、十分な空間が形成されていることによりプラス部６１とマイナス部６２との間は絶縁されている。
【００２３】
バスバー５７〜６０の両端部は配線と接続可能である。図５に示すように、バスバー５７は配線６３を介してシステムメインリレー５２のプラス端子と接続されており、バスバー５８は配線６４を介してシステムメインリレー５２のマイナス端子と接続されている。バスバー５９は、配線６５を介してサービスプラグ５１のマイナス端子に接続されており、バスバー６０は、配線６６を介してサービスプラグ５１のプラス端子に接続されている。
【００２４】
バスバー５７の第３側壁１６と対向する端部には、総プラス端子Ｔ１と接続された配線４０が接続されている。バスバー５８の第３側壁１６と対向する端部には、総マイナス端子Ｔ２と接続された配線４１が接続されている。バスバー５９の第３側壁１６と対向する端部には、中間プラス端子Ｔ３と接続された配線４２と接続されている。バスバー６０の第３側壁１６と対向する端部には、中間マイナス端子Ｔ４と接続された配線４３が接続されている。
【００２５】
サービスプラグ５１は、中間プラス端子Ｔ３と中間マイナス端子Ｔ４との間を電気的に導通又は遮断する。システムメインリレー５２は、総プラス端子Ｔ１および総マイナス端子Ｔ２と電気的に接続されている。電池監視基板５３はキャリッジ５５における端子台５０の下方に設けられている。各電池モジュール２２では、複数の電池セル（図示せず）が直列接続されており、各電池セルには電圧計（図示せず）が設けられている。電圧計は、電池監視基板５３に接続されており、電池セルの電圧を電池監視基板５３に出力する。電池監視基板５３は、温度センサから出力された電池モジュール２２内の各電池セルの温度と、電圧計から出力された電圧を電池ＥＣＵ５４に出力する。電池ＥＣＵ５４は、入力された電池セルの温度及び電圧に加え、電池モジュール２２の電流に基づいて電池モジュール２２の制御を行う。
【００２６】
次に、本参考例に係る蓄電装置１０の作用について説明する。本参考例の蓄電装置１０を組み立てる場合、複数の電池モジュール２２をベース板１９上に積み上げて固定した後、制御モジュール２３を組み付ける。複数の電池モジュール２２は、バスバー３７〜３９の取り付けるとともに、端子台５０に配線４０〜４３を接続することにより、直列接続される。
【００２７】
ところで、端子台５０を組み付けたり、配線４０〜４３を接続したりする場合、サービスプラグ５１は通電が遮断された状態にされる。端子台５０のバスバー５７〜６０は端子台本体５６に組み付けられるが、本参考例のバスバー５７〜６０の配列では、バスバー５７とバスバー６０が隣り合うことはなく、また、バスバー５８とバスバー５９が隣り合うことはない。従って、バスバー５７〜６０の組み付け中において、バスバー５７とバスバー６０が短絡したり、バスバー５８とバスバー５９が短絡したりすることはない。
【００２８】
配線４０〜４３は順番に接続されるが、総プラス端子Ｔ１と接続された配線４０と中間マイナス端子Ｔ４と接続された配線４３が接触する可能性は殆どない。また、総マイナス端子Ｔ２と接続された配線４１と中間プラス端子Ｔ３と接続された配線４２が接触する可能性も殆どない。つまり、配線４０〜４３の組み付け中において、総プラス端子Ｔ１と接続された配線４０と中間マイナス端子Ｔ４と接続された配線４３が接触する可能性は小さい。また、総マイナス端子Ｔ２と接続された配線４１と中間プラス端子Ｔ３と接続された配線４２が接触する可能性も小さい。
【００２９】
本参考例の蓄電装置１０は、以下の作用効果を奏する。
（１）端子台５０におけるプラス部６１では、総プラス中継端子としてのバスバー５７と中間プラス中継端子としてのバスバー５９が互いに隣り合う。端子台５０におけるマイナス部６２では、総マイナス中継端子としてのバスバー５８と中間マイナス中継端子としてのバスバー６０が互いに隣り合う。さらに、プラス部６１とマイナス部６２との間は絶縁されている。このため、端子台５０の組み付けの際に、総プラス端子Ｔ１と中間マイナス端子Ｔ４との間での短絡や総マイナス端子Ｔ２と中間プラス端子Ｔ３との間での短絡が回避される。端子台５０の組み付けの際にはサービスプラグ５１が通電遮断の状態であることから、総プラス端子Ｔ１と中間プラス端子Ｔ３との間や総マイナス端子Ｔ２と中間マイナス端子Ｔ４との間では短絡は生じることはない。
【００３０】
（２）中間プラス中継端子としてのバスバー５９と中間マイナス中継端子としてのバスバー６０が並設されている。従って、バスバー５９とバスバー６０が端子台５０の中央に位置し、総プラス中継端子としてのバスバー５７はバスバー５９の外側に位置し、総マイナス中継端子としてのバスバー５８はバスバー６０の外側に位置する。このため、バスバー５９、６０からサービスプラグ５１へ接続される配線６５、６６の取り回しが、バスバー５９、６０がバスバー５７、５８の外側に位置する場合よりも容易となる。
【００３１】
（３）総プラス中継端子としてのバスバー５７と総マイナス中継端子としてのバスバー５８がバスバー５９、６０の外側に位置する。従って、このため、バスバー５７、５８からシステムメインリレー５２へ接続される配線６３、６４の取り回しが、バスバー５９、６０がバスバー５７、５８の内側に位置する場合よりも容易となる。
【００３２】
（４）電池モジュール２２の正極端子２８および負極端子２９や、制御モジュール２３の端子台５０におけるバスバー５７〜６０が第３側壁１６と対向する面に設けられている。このため、電池モジュール２２を接続するバスバー３７〜３９や配線４０〜４３の短縮化を図ることができるほか、組み付け作業の作業効率を向上させることができる。端子台５０は電池監視基板５３の上部に設けられているため、バスバー５７〜６０と接続される配線４０〜４３、配線６３〜６６の組み付け作業が容易となる。
【００３３】
（５）制御モジュール２３では、端子台５０、サービスプラグ５１、システムメインリレー５２、電池監視基板５３および電池ＥＣＵ５４がキャリッジ５５に搭載され一体化されている。このため、限られたスペースを有効活用することができる搭載効率の良い蓄電装置１０を実現することができる。
【００３４】
（第１の実施形態）
次に、第１の実施形態に係る蓄電装置について説明する。本実施形態の蓄電装置は、端子台の構成が第１の参考例と異なる。本実施形態では、端子台以外の構成については、第１の参考例と同じ構成であるため、第１の参考例の説明を援用し、共通の符号を用いる。
【００３５】
図６に示すように、本実施形態の蓄電装置７０の端子台７１は、端子台７１は、絶縁材料により形成され、バスバー５７、５８、５９、６０を保持する端子台本体７２を備える。端子台本体７２は、プラス部６１を保持するプラス端子台本体部７３と、マイナス部６２を保持するマイナス端子台本体部７４とに、分割されている。プラス端子台本体部７３とマイナス端子台本体部７４との間には十分な空間が形成され、プラス部６１とマイナス部６２との間は絶縁されている。
【００３６】
本実施形態によれば、第１の参考例の作用効果（１）〜（５）と同等の作用効果を奏する。さらに、プラス部６１とマイナス部６２が互いに独立しているので、制御モジュール２３における端子台７１のレイアウトの設計自由度が高くなる。
【００３７】
（第２の参考例）
次に、第２の参考例に係る蓄電装置について説明する。本参考例の蓄電装置は、端子台におけるバスバーの配列が第１の参考例と異なる。本参考例では、端子台以外の構成については、第１の参考例と同じ構成であるため、第１の参考例の説明を援用し、共通の符号を用いる。
【００３８】
図７に示すように、本参考例の蓄電装置８０の端子台８１は、バスバー８２、８３、８４、８５と端子台本体５６を備えている。バスバー８２とバスバー８４が隣り合い、バスバー８３とバスバー８５が隣り合い、バスバー８４、８５はバスバー８２、８３の間に位置する。バスバー８２〜８５の構造は第１の実施形態のバスバー５７〜６０と同じである。
【００３９】
バスバー８２は配線８８を介してサービスプラグ５１のプラス端子と接続されている。バスバー８３は配線８９を介してサービスプラグ５１のマイナス端子と接続されている。バスバー８４は配線９０をシステムメインリレー５２のプラス端子と接続されており、バスバー８５は配線９１を介してシステムメインリレー５２のマイナス端子と接続されている。端子台８１は、中間プラス中継端子としてのバスバー８２および総プラス中継端子としてのバスバー８４が並設されたプラス部８６を備える。また、端子台８１は、プラス部８６と並設され、中間マイナス中継端子としてのバスバー８３および総マイナス中継端子としてのバスバー８５が並設されたマイナス部８７を備える。プラス部８６とマイナス部８７との間には、十分な空間が形成されていることにより絶縁されている。
【００４０】
本実施形態の蓄電装置８０は、第１の参考例の作用効果（１）、（４）、（５）と同等の作用効果を奏する。
【００４１】
本発明は、上記の実施形態に限定されるものではなく発明の趣旨の範囲内で種々の変更が可能であり、例えば、次のように変更してもよい。
【００４２】
○  上記の実施形態では、電池モジュールの数が４個である例を説明したが、電池モジュールの数は限定されず、複数であればよい。また、電池モジュールは複数の電池セルを備えた電池モジュールだけでなく単一の電池セルによる電池モジュールであってもよい。
○  上記の実施形態では、端子台における総プラス中継端子、総マイナス中継端子、中間プラス中継端子および中間マイナス中継端子をバスバーとしたが、これらの中継端子はバスバーに限定されない。例えば、導電性を有するボルト等を端子台における各中継端子として用いてもよい。
○  上記の実施形態では、電池モジュール同士の電気的な接続のためにバスバーを用いたが、この限りではなく、例えば、バスバー以外の配線を用いて電池モジュール同士の電気的な接続を図ってもよい。
○  上記の実施形態では、サービスプラグは蓄電装置のケースの天板から露出されたが、この限りではない。サービスプラグがキャリッジに設けられるのであれば、サービスプラグの露出位置は特に限定されない。例えば、サービスプラグがケースの第３側壁、あるいは第４側壁から露出されてもよい。
【符号の説明】
【００４３】
１０、７０、８０  蓄電装置
１１  電池ユニット
１２  ケース
１９  ベース板
２２  電池モジュール
２３  制御モジュール
３７、３８、３９  バスバー（電池モジュール）
４０、４２、４３、４４  配線
５０、７１、８１  端子台
５１  サービスプラグ
５２  システムメインリレー
５３  電池監視基板
５４  電池ＥＣＵ
５５  キャリッジ
５６、７２  端子台本体
５７、５８、５９、６０、８１、８２、８３、８４  バスバー（端子台）
６１、８６  プラス部
６２、８７  マイナス部
６３、６４、６５、６６、８８、８９、９０、９１  配線
７３  プラス端子台本体部
７４  マイナス端子台本体部
Ｔ１  総プラス端子
Ｔ２  総マイナス端子
Ｔ３  中間プラス端子
Ｔ４  中間マイナス端子
【図１】
0006572784.tif 000002
【図２】
0006572784.tif 000003
【図３】
0006572784.tif 000004
【図４】
0006572784.tif 000005
【図５】
0006572784.tif 000006
【図６】
0006572784.tif 000007
【図７】
0006572784.tif 000008
【図８】
0006572784.tif 000009